(57)【要約】【課題】大引間への断熱材施工作業を効率よく低コストにて行うことを可能にする受け金物及びそれを用いた床断熱工法を提供することを課題とする。【解決手段】受け金物1を、その位置決めストッパーを大引１５及び土台１３の内側面に土台１３と底面を合わせて設置した金物固定材１０の各下面にあてがった状態でその先鋭突起を大引１５及び金物固定材１０の側面に食い込ませて仮留めした後本留めし、受け金物１の受け部に長尺の受け材１６を嵌め込んで受け材１６を吊持させ、受け材１６上に、大引１５と直交するように多数のバラ板１７を差し渡して下地となし、その上に下層断熱材１８を敷き詰め、大引間の下層断熱材１８上に、上層断熱材２０を嵌装し、大引１５上に直接床板を打ち付けて床を仕上げる。【選択図】図３
2018031111.tif 000002
【特許請求の範囲】
【請求項１】
基板と、前記基板の下部を水平に折曲して成る受け部と、前記受け部の端部を上方に折曲して成る押止部とから成り、前記基板の両側面の中間部に前記基板の背面方向に突出する位置決めストッパーが形成されると共に、前記基板の背面の上端部に先鋭突起が設けられていることを特徴とする受け金物。
【請求項２】
前記基板の両側面の下部から中間部までが若干背面方向に延長されて補強部とされ、前記補強部の上端部に前記位置決めストッパーが形成されている請求項１に記載の受け金物。
【請求項３】
前記押止部の上端部は外方に傾けられている、請求項１又は２に記載の受け金物。
【請求項４】
請求項１乃至３のいずれかに記載の受け金物を用いて行う床断熱工法であって、
前記受け金物の位置決めストッパーを、大引の下面にあてがった状態で、その先鋭突起を前記大引の側面に食い込ませることにより、所望数の前記受け金物を前記大引の側面に適宜間隔置きに仮留めする工程と、
仮留めした前記受け金物の基板を前記大引の側面に本留めする工程と、
本留めした前記受け金物の受け部に長尺の受け材を嵌め込んで前記受け材を吊持させる工程と、
前記受け材上に、前記大引と直交するように多数のバラ板を差し渡して下地を施工する工程と、     
前記大引と前記下地材との間に、下層断熱材を敷き詰める工程と、
前記大引間並びに前記大引と土台間の前記下層断熱材上に、前記大引及び前記土台の上面と面一となるように上層断熱材を嵌装する工程と、
前記大引上に直接床板を打ち付けて床を仕上げる工程とから成る床断熱工法。
【請求項５】
前記下層断熱材の継ぎ目が前記バラ板上にくるようにする、請求項４に記載の床断熱工法。
【請求項６】
前記下層断熱材の前記大引を支持する鋼製束に当たる部分に切り込みを入れる、請求項４又は５に記載の床断熱工法。
【請求項７】
更に、前記受け金物を、その位置決めストッパーを土台の内側面に設置した金物固定材の下面にあてがった状態で、その先鋭突起を前記金物固定材の側面に食い込ませることにより、所望数の前記受け金物を前記金物固定材の側面に適宜間隔置きに仮留めする工程と、仮留めした前記受け金物の基板を前記金物固定材の側面に本留めする工程とを含む、請求項４乃至６のいずれかに記載の床断熱工法。
【請求項８】
布基礎の内側面に前記バラ板の先端部を受ける補助受け材を、その上面が前記受け材の上面と一致するようにして設置する、請求項４乃至６のいずれかに記載の床断熱工法。
【請求項９】
布基礎と前記土台との間に適宜間隔置きにスペーサを挟入し、前記下層断熱材の端面が前記布基礎の側面から離れるように設置することで、前記下層断熱材の端面と前記布基礎の側面との間に通気空間を確保し、以て前記下層断熱材の下側の空間部を、前記通気空間及び前記スペーサ間の間隙を介して大気に連通可能にする、請求項４乃至８のいずれかに記載の床断熱工法。
【発明の詳細な説明】
【技術分野】
【０００１】
本発明は、受け金物及びそれを用いた床断熱工法及びその工法に関するものであり、より詳細には、大引が熱橋となることを回避することにより、十分な断熱効果を発揮することを可能にする床断熱工法を実施するのに好適な受け金物及びそれを用いた床断熱工法に関するものである。
【背景技術】
【０００２】
従来、床断熱のために、取付け金具を用いて大引間にグラスウールやロックウール等の断熱材を保持する構造についての提案がある（特許文献１：特開２０１１−０７４６６４号公報、特許文献２：特開２００９−１０２８９１号公報）。しかし、これらの提案に係る断熱工法の場合は、何れも大引間に断熱材を保持する構造であるところ、大引は木材であって断熱材よりも断熱性能が劣るために大引自体が熱橋となり、断熱効果が落ちるという問題がある。
【０００３】
この問題に対処するために、大引の上に根太を設置し、この根太を介して大引の上面を覆う断熱材を配することが考えられるが、そのようにした場合は、根太を取付ける手間がかかり、また、大引の上方空間が狭くなってしまうという問題が起こる。
【０００４】
これらの諸問題に鑑み、大引の上面に断熱材を配置することなく、大引が熱橋となり断熱効果が落ちることのない床の断熱構造体を提供することを目的として、大引の真下に位置する下部と、隣接する大引の下部間である中間部とに配置される第１の断熱材を有する床の断熱構造体が提案されている（特許文献３：特許第５９２１４１１号公報）。
【０００５】
そして、この構造によった場合は、第１の断熱材が、大引の真下に位置する下部と、隣接する２つの大引の下部間である中間部とに配置されるために大引が熱橋とならず、断熱効果が大引の部分において落ちることがないとされ、また、根太を大引の上面に掛け渡し、この根太間に断熱材を配置する必要がないので、根太を取り付ける作業を省略でき、且つ、大引の上方空間を大きくとれる利点があるとされている。
【０００６】
しかし、この提案に係る床の断熱構造体の場合、用いられる支持金具が逆Ｔ字型であって、その水平部において下側の第１の断熱材の荷重を受け、更に、第１の断熱材の上に配置される第２の断熱材の荷重を受ける構成となっている。そのため、各支持金具に過剰な負荷がかかって変形したり、破損したりするおそれがあり、２層の断熱材の恒久的支持は望めない。また、支持金具が単なる逆Ｔ字型である場合は、大引へ固定する際の位置決めが難しく、垂直部を折り曲げて大引の上面に引っかかるようにしたものの場合は、その折曲片部分がその厚み分大引の上面に出ることになるため、床板を水平に張る上で支承をきたすおそれがある。
【０００７】
また、２層の断熱材は、多数の支持金具によってその側縁を、面状や線状ではなく、いわば点状に支持されるものであるため、断熱材の安定的支持は望めない。
【先行技術文献】
【特許文献】
【０００８】
【特許文献１】特開２０１１−０７４６６４号公報
【特許文献２】特開２００９−１０２８９１号公報
【特許文献３】特許第５９２１４１１号公報
【発明の概要】
【発明が解決しようとする課題】
【０００９】
上述したように、従来提案されている床の断熱構造体の場合は、用いられる支持金具が逆Ｔ字型であるところから、２層の断熱材の恒久的支持並びに安定的支持は望めないという状況にあった。そこで、本発明はこのような問題のない、即ち、特に下層断熱材の施工に至るまでの作業を容易化することができ、以て、大引間への断熱材施工作業を効率よく低コストにて行うことを可能にする受け金物及びそれを用いた床断熱工法を提供することを課題とする。
【課題を解決するための手段】
【００１０】
上記課題を解決するための請求項１に記載の発明は、基板と、前記基板の下部を水平に折曲して成る受け部と、前記受け部の端部を上方に折曲して成る押止部とから成り、前記基板の両側面の中間部に前記基板の背面方向に突出する位置決めストッパーが形成されると共に、前記基板の背面の上端部に先鋭突起が設けられていることを特徴とする受け金物である。
【００１１】
一実施形態においては、前記基板の両側面の下部から中間部までが若干背面方向に延長されて補強部とされ、前記補強部の上端部に前記位置決めストッパーが形成される。また、前記押止部の上端部が外方に傾けられる。
【００１２】
また、上記課題を解決するための請求項４に記載の発明は、請求項１乃至３のいずれかに記載の受け金物を用いて行う床断熱工法であって、
前記受け金物の位置決めストッパーを、大引の下面にあてがった状態で、その先鋭突起を前記大引の側面に食い込ませることにより、所望数の前記受け金物を前記大引の側面に適宜間隔置きに仮留めする工程と、
仮留めした前記受け金物の基板を前記大引の側面に本留めする工程と、
本留めした前記受け金物の受け部に長尺の受け材を嵌め込んで前記受け材を吊持させる工程と、
前記受け材上に、前記大引と直交するように多数のバラ板を差し渡して下地を施工する工程と、     
前記大引と前記下地材との間に、下層断熱材を敷き詰める工程と、
前記大引間並びに前記大引と前記土台間の前記下層断熱材上に、前記大引及び前記土台の上面と面一となるように上層断熱材を嵌装する工程と、
前記大引上に直接床板を打ち付けて床を仕上げる工程とから成る床断熱工法である。
【００１３】
好ましくは、前記下層断熱材の継ぎ目が前記バラ板上にくるようにし、また、前記下層断熱材の前記大引を支持する鋼製束に当たる部分に切り込みを入れることとする。
【００１４】
一実施形態においては、更に、前記受け金物を、その位置決めストッパーを土台の内側面に設置した金物固定材の下面にあてがった状態で、その先鋭突起を前記金物固定材の側面に食い込ませることにより、所望数の前記受け金物を前記金物固定材の側面に適宜間隔置きに仮留めする工程と、仮留めした前記受け金物の基板を前記金物固定材の側面に本留めする工程とを含む。
【００１５】
また、一実施形態においては、布基礎の内側面に前記バラ板の先端部を受ける補助受け材を、その上面が前記受け材の上面と一致するようにして設置する。
【００１６】
更に、一実施形態においては、布基礎と前記土台との間に適宜間隔置きにスペーサを挟入し、前記下層断熱材の端面が前記布基礎の側面から離れるように設置することで、前記下層断熱材の端面と前記布基礎の側面との間に通気空間を確保し、以て前記下層断熱材の下側の空間部を、前記通気空間及び前記スペーサ間の間隙を介して大気に連通可能にする。
【発明の効果】
【００１７】
本発明は上述したとおりであって、本発明に係る受け金物は、大引並びに金物固定材に固定するに際し、先ず仮留めをし、その後に本留めすることができ、また、その際位置決めストッパーを大引及び金物固定材の下面に当てて行うことになるので、定位置（所定高さ位置）に容易且つ迅速に固定することができ、以て、大引間への断熱材施工作業を効率よく低コストにて行うことを可能ならしめる効果がある。また、本発明に係る床断熱工法によれば、断熱材はバラ板により構成される下地の上に設置されるので、断熱材は恒久的に安定的に支持される効果がある。
【図面の簡単な説明】
【００１８】
【図１】本発明に係る受け金物の構成を示す斜視図である。
【図２】本発明に係る受け金物の構成を示す正面図、側面図及び平面図である。
【図３】本発明に係る床断熱工法による床断熱構造を示す部分断面斜視図である。
【図４】本発明に係る床断熱工法における受け金物の仮留め工程を示す斜視図である。
【図５】本発明に係る床断熱工法における受け金物の本留め工程を示す斜視図である。
【図６】本発明に係る床断熱工法における受け材嵌め込み工程を示す斜視図である。
【図７】本発明に係る床断熱工法における下地施工工程を示す斜視図である。
【図８】本発明に係る床断熱工法における下層断熱材施工工程を示す斜視図である。
【図９】本発明に係る床断熱工法における上層断熱材施工工程を示す斜視図である。
【図１０】本発明に係る床断熱工法による床断熱構造の通気土台納まりを示す縦断面図である。
【図１１】本発明に係る床断熱工法における別の床断熱構造を示す部分断面斜視図である。
【発明を実施するための形態】
【００１９】
以下に、本発明を実施するための形態について、添付図面に依拠して説明する。本発明に係る受け金物１は、基板２と、基板２の下部を水平に折曲して成る受け部３と、受け部３の端部を上方に折曲して成る押止部４とから成り、基板２の両側面の中間部に基板２の背面方向に突出する位置決めストッパー５が形成されると共に、基板２の背面の上端部に先鋭突起６が設けられていることを特徴とする（図１，２参照）。また、基板２の上部に、ビス穴８が穿設される。
【００２０】
好ましい実施形態においては、基板２の両側面の下部から中間部までが若干背面方向に延長されて補強部７とされ、補強部７の上端部に三角形状に突出する位置決めストッパー５が形成される。また、押止部４は基板２側に傾けられ、更にその上端部が外方に傾けられる。
【００２１】
次いで、上記構成の受け金物１を用いて行う本発明に係る床断熱工法を、図３乃至図９を参照しつつ工程順に説明する。ここに示される実施形態においては、本工法の実施に先立ち、常法により布基礎１２の上に土台１３を設置し、土台１３の内側面に金物固定材１４を、その下面が土台１３の下面に合うように打着し、また、所望数の大引１５を、べた基礎１１上に配置した鋼製束２４で支持させて配置する。
【００２２】
受け金物仮留め工程
この工程は、受け金物１を、複数並設される大引１５及び金物固定材１４の各側面に仮留めする工程である。そのために先ず、受け金物１の取り付け位置において位置決めストッパー５を大引１５の下面にあてがった後、基板２を大引１５の側面に押し付け、先鋭突起６を食い込ませる（図４拡大部参照）。また、同様にして、位置決めストッパー５を金物固定材１４の下面にあてがった後、基板２を金物固定材１４の側面に押し付けて先鋭突起６を食い込ませる。このようにして大引１５及び金物固定材１４の側面に、所望数の受け金物１を、適宜間隔置きに仮留め配置する。
【００２３】
受け金物本留め工程
この工程は、仮留めした受け金物１を、大引１５及び金物固定材１４の側面に本留めする工程である。受け金物１の本留めは、そのビス穴８にビス９を打ち込むことによって行う（図５参照）。
【００２４】
受け金物への受け材嵌め込み工程
この工程は、本留めした各受け金物１に対し、長尺の受け材１６を、受け部３に当たるまで押し込み、複数の受け金物１に掛け渡して吊持させる工程である（図６参照）。その際、押止部４の上端部が外方に傾けられていると、受け金物１に対する受け材１６の嵌め込みを、容易且つスムーズに行うことが可能となる。また、押止部４が基板２側に傾けられているときは、嵌め込まれた受け材１６が、基板２と押止板４との間に確固と挟持されることになる。
【００２５】
受け金物１に嵌め込まれた受け材１６の上面と大引１５の下面との間の間隔は、後述する下地材となるバラ板１７の厚さ（例えば、１２ｍｍ）に下層断熱材１８の厚さ（例えば、５０ｍｍ）を加えた値とほぼ同じになるように設定される。
【００２６】
下地施工工程
この工程は、受け材１６上に、大引１５と直交するように多数のバラ板を差し渡し固定して、下地を施工する工程である（図７参照）。
【００２７】
下層断熱材施工工程
この工程は、多数のバラ板１７で構成される下地と大引１５との間に、下層断熱材１８を敷き詰めていく工程である（図８参照）。その際、下層断熱材１８の継ぎ目はバラ板１７上にくるようにし（図７の拡大部参照）、また、大引１５を支持する鋼製束２４に当たる部分には、カッターで切り込み１９を入れて、鋼製束２４を逃がすようにする（図８参照）。かくして、各大引１５の下面に下層断熱材１８が当接することになるので、大引１５が熱橋となって断熱効果が損なわれるおそれはない。
【００２８】
上層断熱材施工工程
この工程は、大引１５と大引１５との間並びに大引１５と土台１３との間の下層断熱材１８上に、大引１５及び土台１３の上面と面一となるように、下層断熱材１８よりも厚手となる上層断熱材２０（例えば、１００〜１０５ｍｍ）を密に充填する工程である（図９参照）。その場合、大引１５間に押え板２１を渡して、上層断熱材２０を押え止めるようにしてもよい。
【００２９】
床仕上げ工程
この工程は、大引１５上に、根太を介することなく直接床板を打ち付けて、床を仕上げる工程である。
【００３０】
図１０は、土台部分に通気性を持たせた通気土台納まり（ねこ土台）の構成例を示すものである。この場合は、布基礎１２と土台１３との間に適宜間隔置きにスペーサ（ねこ）２２が挟入され、また、下層断熱材１８の端面が布基礎１２の側面から離されて、通気空間２３が確保される。かくして、下層断熱材１８の下側の空間部が、バラ板１７間の間隙、通気空間２３及びスペーサ２２間の間隙を介して大気に連通する。なお、バラ板１７に直交する側の土台部分にも、同様にして通気性を持たせることができる。
【００３１】
上記実施形態においては、土台１３の内側面に金物固定材１４を固定してバラ板１７の先端部を受けるようにしているが、この金物固定材１４を設ける代わりに、布基礎１２の内側面に補助受け材１６ａを、その上面が受け材１６の上面と一致するようにして設置し、この補助受け材１６ａでバラ板１７の先端部を受けるようにすることもできる（図１１参照）。
【００３２】
上記のとおり、本発明に係る受け金物１は、簡易な構成であって、大引１５並びに金物固定材１４に固定するに際し、仮留めした後に本留めすることができ、また、その仮留め作業は位置決めストッパー５を大引１５並びに金物固定材１４の下面に当てて行うことになるので、定位置（所定高さ位置）に容易且つ迅速に固定することができ、以て、大引１５間への断熱材施工作業を効率よく低コストにて行うことが可能となる。また、本発明に係る床断熱工法によれば、断熱材１８、２０はバラ板１７による下地の上に設置されるので、下地上に恒久的に安定的に支持される効果があり、産業上の利用可能性は大である。
【符号の説明】
【００３３】
１        受け金物
２        基板
３        受け部
４        押止部
５        位置決めストッパー
６        先鋭突起
７        補強部
８        ビス穴
９        ビス
１１      べた基礎
１２      布基礎
１３      土台
１４      金物固定材
１５      大引
１６      受け材
１６ａ    補助受け材
１７      バラ板
１８      下層断熱材
１９      切り込み
２０      上層断熱材
２１      押え板
２２      スペーサ
２３      通気空間
２４      鋼製束
【図１】
2018031111.tif 000003
【図２】
2018031111.tif 000004
【図３】
2018031111.tif 000005
【図４】
2018031111.tif 000006
【図５】
2018031111.tif 000007
【図６】
2018031111.tif 000008
【図７】
2018031111.tif 000009
【図８】
2018031111.tif 000010
【図９】
2018031111.tif 000011
【図１０】
2018031111.tif 000012
【図１１】
2018031111.tif 000013